(57)【要約】【課題】本発明の実施形態によるX線装置のシールドカバーおよびセキュリティ検査装置は、X線装置から発生された無用なX線を効果的にシールドすることができ、人体に対するダメージを避けるとともに、X線装置自体にダメージを与えない。【解決手段】本発明は、X線装置のシールドカバーおよびセキュリティ検査装置に関し、X線装置のシールドカバーは、X線装置を収納するための収納室と、端部開口と、X線装置から放出される放射線を透過させる放射線出口とを備えるフレーム本体と、端部開口に設けられ、収納室に連通している密閉室を備える端部カバーと、端部カバーとフレーム本体との間に設けられ、密閉室と収納室とを連通させる穴を備え、端部カバーから端部開口までの距離が調整可能になるように、端部カバーをフレーム本体に移動可能に接続させるアダプタ部材とを含む。【選択図】図１
2019078743.tif 000002
【特許請求の範囲】
【請求項１】
X線装置を収納するための収納室と、端部開口と、前記X線装置から放出される放射線を透過させる放射線出口とを備えるフレーム本体と、
前記端部開口に設けられ、前記収納室に連通している密閉室を備える端部カバーと、
前記端部カバーと前記フレーム本体との間に設けられ、前記密閉室と前記収納室とを連通させる穴を備え、前記端部カバーから前記端部開口までの距離が調整可能になるように、前記端部カバーを前記フレーム本体に移動可能に接続させるアダプタ部材と、
を含むことを特徴とするX線装置のシールドカバー。
【請求項２】
前記アダプタ部材は、
一端部が前記端部カバーに固定接続され、他端部が前記フレーム本体に移動可能に接続された第１のアダプタ部と、
一端部が前記端部カバーに固定接続され、他端部が前記フレーム本体に移動可能に接続された第２のアダプタ部と、
を含み、
前記第１のアダプタ部と前記第２のアダプタ部とは互いに嵌合して前記穴を形成することを特徴とする請求項１に記載のX線装置のシールドカバー。
【請求項３】
前記第１のアダプタ部および前記フレーム本体には、それぞれ、対応する第１の貫通孔および第２の貫通孔が設けられ、前記第１の貫通孔および前記第２の貫通孔における少なくとも一方が線形孔であり、前記第１のアダプタ部と前記フレーム本体とを移動可能に接続するように、前記第１の貫通孔および前記第２の貫通孔の内部には接続部材が貫通して設けられており、
前記第２のアダプタ部および前記フレーム本体には、それぞれ、対応する第３の貫通孔および第４の貫通孔が設けられ、前記第３の貫通孔および前記第４の貫通孔における少なくとも一方が線形孔であり、前記第２のアダプタ部と前記フレーム本体とを移動可能に接続するように、前記第３の貫通孔および前記第４の貫通孔の内部には接続部材が貫通して設けられていることを特徴とする請求項２に記載のX線装置のシールドカバー。
【請求項４】
前記アダプタ部材において、前記穴を囲んで、前記収納室の内部に伸びるクローズドリングが設けられ、前記クローズドリングの外壁面と前記収納室の内壁面とは互いに重ねられ且つ隙間を有することを特徴とする請求項１乃至３のいずれか一項に記載のX線装置のシールドカバー。
【請求項５】
前記フレーム本体、前記端部カバーおよび前記クローズドリングの壁面には、いずれも、放射線遮蔽板が設けられていることを特徴とする請求項４に記載のX線装置のシールドカバー。
【請求項６】
前記放射線遮蔽板は、前記フレーム本体、前記端部カバーおよび前記クローズドリングの内壁面に設けられ、且つ隣り合う二つの前記放射線遮蔽板の隣接端部が互いに圧接されていることを特徴とする請求項５に記載のX線装置のシールドカバー。
【請求項７】
前記隣接端部における一方には段差面が設けられ、前記隣接端部における他方が前記段差面と嵌合して、前記隣接端部同士が互いに圧接されていることを特徴とする請求項６に記載のX線装置のシールドカバー。
【請求項８】
前記フレーム本体は分割構造であり、互いに嵌合する上部カバーおよび下部カバーを備えることを特徴とする請求項１乃至３のいずれか一項に記載のX線装置のシールドカバー。
【請求項９】
前記端部カバーには一端部が前記密閉室に伸び、且つ前記X線装置に当接して前記X線装置の水平方向における移動を制限可能な補助位置決め部材が設けられていることを特徴とする請求項１乃至３のいずれか一項に記載のX線装置のシールドカバー。
【請求項１０】
前記補助位置決め部材は、前記端部カバーとねじ接続されたレバーであることを特徴とする請求項９に記載のX線装置のシールドカバー。
【請求項１１】
請求項１乃至１０のいずれか一項に記載のX線装置のシールドカバーと、
前記収納室の内部に設けられたX線装置と、
前記X線装置が前記収納室の内部でフローティング状態になるように、前記フレーム本体の外部に設けられ、前記X線装置と接続されたU字型アームと、
を含むことを特徴とするセキュリティ検査装置。
【請求項１２】
前記U字型アームのU字型の開口が前記フレーム本体に係合され、前記フレーム本体における前記U字型アームに対応する位置には固定台座が設けられ、前記U字型アームは前記固定台座によって前記フレーム本体に接続され、前記U字型アームの下部と前記固定台座との間には調整パッドが設けられていることを特徴とする請求項１１に記載のセキュリティ検査装置。
【発明の詳細な説明】
【技術分野】
【０００１】
本発明は、放射線検出の技術分野に関し、特に、X線装置のシールドカバーおよびセキュリティ検査装置に関する。
【背景技術】
【０００２】
Ｘ線装置は、主に、Ｘ線管で発生された放射線ビームを被検物に照射して、放射線が被検物に吸収され、探知機に入射され、探知機が放射線を信号に変換し、信号が増幅され処理された後、ディスプレーによって表示されるために用いられる。これにより、検査員が異なる物質を識別することを簡単で快速に支援することができる。
X線装置は、使用時に、そのＸ線管から放出する放射線の放射面が広いため、放射線が探知機に全て受信されず、被検物に作用しない無用な放射線がある。Ｘ線の放射による被害が大きいため、探知機で受信されないＸ線或いは無用なＸ線に対して防護しないと、人体などに不要なダメージを与える。
【発明の概要】
【発明が解決しようとする課題】
【０００３】
本発明の実施形態は、X線装置から発生された無用なX線を効果的にシールドすることで、人体に対するダメージを避けるとともに、X線装置自体にダメージを与えないＸ線装置のシールドカバーおよびセキュリティ検査装置を提供する。
【課題を解決するための手段】
【０００４】
本発明の実施形態の一様態はX線装置を収納するための収納室と、端部開口と、X線装置から放出される放射線を透過させる放射線出口とを備えるフレーム本体と、端部開口に設けられ、収納室に連通している密閉室を備える端部カバーと、端部カバーとフレーム本体との間に設けられ、密閉室と収納室とを連通させる穴を備え、端部カバーから端部開口までの距離が調整可能になるように端部カバーをフレーム本体に移動可能に接続させるアダプタ部材とを含むX線装置のシールドカバーを提供する。
【０００５】
本発明の実施形態の一態様によると、アダプタ部材は、一端部が端部カバーに固定接続され、他端部がフレーム本体に移動可能に接続された第１のアダプタ部と、一端部が端部カバーに固定接続され、他端部がフレーム本体に移動可能に接続された第２のアダプタ部とを含み、第１のアダプタ部と第２のアダプタ部とは互いに嵌合して穴を形成する。
【０００６】
本発明の実施形態の一態様によると、第１のアダプタ部およびフレーム本体には、それぞれ、対応する第１の貫通孔および第２の貫通孔が設けられ、第１の貫通孔および第２の貫通孔における少なくとも一方が線形孔であり、第１のアダプタ部とフレーム本体とを移動可能に接続するように、第１の貫通孔および第２の貫通孔の内部には接続部材が貫通して設けられており、第２のアダプタ部およびフレーム本体には、それぞれ、対応する第３の貫通孔および第４の貫通孔が設けられ、第３の貫通孔および第４の貫通孔における少なくとも一方が線形孔であり、第２のアダプタ部とフレーム本体とを移動可能に接続するように、第３の貫通孔および第４の貫通孔の内部には接続部材が貫通して設けられている。
【０００７】
本発明の実施形態の一態様によると、アダプタ部材において、穴を囲んで、収納室の内部に伸びるクローズドリングが設けられ、クローズドリングの外壁面と収納室の内壁面とは互いに重ねられ且つ隙間を有する。
【０００８】
本発明の実施形態の一態様によると、フレーム本体、端部カバーおよびクローズドリングの壁面には、いずれも、放射線遮蔽板が設けられている。
【０００９】
本発明の実施形態の一様態によると、放射線遮蔽板は、フレーム本体、端部カバーおよびクローズドリングの内壁面に設けられ、且つ隣り合う二つの放射線遮蔽板の隣接端部が互いに圧接されている。
【００１０】
本発明の実施形態の一態様によると、隣接端部における一方には段差面が設けられ、隣接端部における他方が段差面と嵌合して隣接端部同士が互いに圧接されている。
【００１１】
本発明の実施形態の一態様によると、フレーム本体は分割構造であり、互いに嵌合する上部カバーおよび下部カバーを備える。
【００１２】
本発明の実施形態の一態様によると、端部カバーには、一端が密閉室に伸び、且つX線装置に当接してX線装置の水平方向における移動を制限可能な補助位置決め部材が設けられている。
【００１３】
本発明の実施形態の一態様によると、補助位置決め部材は、端部カバーとねじ接続されたレバーである。
【００１４】
本発明の実施形態によるX線装置のシールドカバーは、フレーム本体と、端部カバーと、アダプタ部材とを含み、フレーム本体に収納室と端部開口と放射線出口とが設けられ、端部カバーがアダプタ部材によってフレーム本体の端部開口に移動可能に接続され、X線装置がフレーム本体の収納室に収納され、両端面がアダプタ部材の穴を通して、相応した端部カバーの密閉室へ伸び、X線装置から放出された放射線はフレーム本体における放射線出口のみから放出されて被検物を検出し、残りの放射線はX線装置のシールドカバーに遮蔽されて、人体に対するダメージを避けることができる。さらに、端部カバーとフレーム本体との相対位置を移動することで、端部カバーから端部開口までの距離を変えることができる。即ち、端部カバーの内端面とX線装置の端面とがちょうど当接され、X線装置の位置を制限して、被検物に対する検査ニーズを満たすとともに、X線装置自体にダメージを与えない。
【００１５】
本発明の実施形態の他の態様は、上記のX線装置のシールドカバーと、収納室の内部に設けられたX線装置と、X線装置が収納室の内部でフローティング状態になるように、フレーム本体の外部に設けられ、X線装置と接続されたU字型アームとを含むセキュリティ検査装置を提供する。
【００１６】
本発明の実施形態の他の態様によると、U字型アームのU字型の開口がフレーム本体に係合され、フレーム本体におけるU字型アームに対応する位置には固定台座が設けられ、U字型アームは固定台座によってフレーム本体に接続され、U字型アームの下部と固定台座との間には調整パッドが設けられている。
【図面の簡単な説明】
【００１７】
図面を参照して、本発明の例示的な実施形態の特徴、利点および技術的効果を説明する。
【図１】本発明の実施形態に係るＸ線装置のシールドカバーの正面構造模式図である。
【図２】本発明の実施形態に係るフレーム本体の全体構造模式図である。
【図３】本発明の実施形態に係る下部カバーの構造模式図である。
【図４】本発明の実施形態に係る上部カバーの構造模式図である。
【図５】本発明の実施形態に係る端部カバーの構造模式図である。
【図６】本発明の実施形態に係るアダプタ部材の構造模式図である。
【図７】本発明の実施形態に係るアダプタ部材を端部カバーに装着した構造模式図である。
【図８】本発明の実施形態に係る第２のアダプタ部材の構造模式図である。
【図９】図１におけるA-A方向の断面図である。
【図１０】図９のB部分の拡大図である。
【図１１】本発明の実施形態に係るセキュリティ検査装置の構造模式図である。
【図１２】本発明の実施形態に係るU字型アームと固定基台との係合部分の断面図である。
【発明を実施するための形態】
【００１８】
以下、本発明の各特徴および例示的な実施形態を具体的に説明する。以下の説明において、本発明の実施形態を十分に理解できるように、様々な具体的な詳細を提供している。但し、当業者であれば、本発明は、上記の詳細の中の一つ以上のものが省略された状態でも実現できることを、理解すべきである。実施形態に対する以下の記載は、ただ、本発明の例を提供して本発明をよりよく理解できるためである。図面および以下の記載において、本発明をより明確化するため、少なくとも一部分の周知の構造および技術が記載されていない。さらに、明瞭化するため、一部の構造を拡大されたサイズにした。以下に記載された特徴、構造或いは特性は、いずれかの適合な形態で組み合わせて、一つ或いは複数の実施形態にすることができる。また、「第１」、「第２」、「第３」などの用語は説明の便宜のために使用され、重要性を明示或いは暗示するものと理解されない。
【００１９】
以下の説明において現れた方向に関する単語は、いずれも図面に示す方向であり、本発明のX線装置のシールドカバーの具体的な構造を限定するものではない。本発明の説明において、特に明記しないかぎり、「設置」および「接続」という用語は広義に理解されるべきであり、例えば、固定接続であってもよいし、着脱可能な接続であってもよいし、または 一体に接続されてもよい。また、直接的に接続されてもよいし、または間接的に接続されてもよい。本発明における上記用語の具体的な意味は、当業者であれば具体的な状況によって理解することができる。
【００２０】
本発明の理解を深めるために、本発明の実施形態に係るX線装置のシールドカバー１について、図１〜図１０を参照して具体的に説明する。
図１に示すように、本発明の一実施形態によれば、フレーム本体１０と、端部カバー２０と、アダプタ部材３０とを含むX線装置のシールドカバー１を提供する。フレーム本体１０は、収納室１３、端部開口１４、および放射線出口１５を備え、収納室１３はX線装置の収納に用いられ、放射線出口１５は、X線装置から放出される放射線を透過させるのに用いられ、端部カバー２０は端部開口１４に設置され、収納室１３と連通する密閉室２３を備え、アダプタ部材３０は、端部カバー２０とフレーム本体１０との間に設置され、密閉室２３と収納室１３とを連通させる穴３４を備える。アダプタ部材３０は、端部カバー２０から端部開口１４までの距離が調節できるように、端部カバー２０をフレーム本体１０に移動可能に接続する。
【００２１】
具体的には、図２に示すように、フレーム本体１０は、互いに嵌合された上部カバー１１および下部カバー１２を含む分割構造になっている。フレーム本体１０が分割構造を採用することで、X線装置の装着が容易になる。
【００２２】
図２および図３に示すように、下部カバー１２は、主遮蔽体１２１と、主遮蔽体１２１に設置されたサブ遮蔽体１２２とを含む。主遮蔽体１２１は、好ましくは、主遮蔽体１２１の断面が全体としてはU字型になるように、底板１２１aと、底板１２１aの両側に設けられた二つの側板１２１bとを含む。主遮蔽体１２１には、上開口１２１cおよび二つの側開口１２１dが形成されている。サブ遮蔽体１２２は、主遮蔽体１２１の二つの側板１２１ｂに位置してており、具体的には、二つの側板１２１bの外壁面に位置している。サブ遮蔽体１２２は、円筒状の室カバー、矩形状の室カバー、角筒構造のうちの１つ以上であることが好ましい。サブ遮蔽体１２２は、主に、X線装置の高圧制御装置及びX線装置のケーブルなどを収納するために用いられる。下部カバー１２は、上記の構造を採用することで、X線装置のシールドのニーズを満たし、X線装置のシールドカバー１の全体サイズを縮小し、占有スペースを低減し、広い適用範囲を有することができる。
【００２３】
図２および図４に示すように、上部カバー１１は、一端に開口を有する矩形の枠構造であり、放射線出口１５が上部カバー１１に位置している。上部カバー１１の長さは下部カバー１２の長さと相応しており、上部カバー１１における開口を有する端部は、下部カバー１２の上開口１２１cに接続されて、下部カバー１２とともにフレーム本体１０の構造を構成し、両者に囲まれた内部の室がX線装置を収納するための収納室１３になり、下部カバー１２の二つの側開口１２１dはフレーム本体１０の端部開口１４になる。フレーム本体１０の強度を確保するため、上部カバー１１および下部カバー１２の間には補強ビーム１６が設けられている。
【００２４】
図５に示すように、端部カバー２０は、平行に配置された２つのエンドプレート２１と、これら２つのエンドプレート２１間に連結された環状側板２２とを備えている。２つのエンドプレート２１と環状側板２２が共に密閉室２３を囲んで形成し、端部開口１４側のエンドプレート２１には、収容室１３に連通されるように、貫通孔２４が設けられている。エンドカバー２０の強度を確保するために、環状側板２２と２つのエンドプレート２１との間には補強リブ２６が接続されている。
【００２５】
本実施形態において、フレーム本体１０は、二つの端部開口１４を含むため、各端部開口１４にはいずれも一つの端部カバー２０が設けられており、端部カバー２０は、アダプタ部材３０によってフレーム本体１０と移動可能に接続されている。 
【００２６】
一つの選択可能な実施形態において，図１および図６に示すように、アダプタ部材３０は、一端部が端部カバー２０に固定接続され、他端部がフレーム本体１０に移動可能に接続された第１のアダプタ部３１と、一端部が端部カバー２０に固定接続され、他端部がフレーム本体１０に移動可能に接続された第２のアダプタ部３２とを含み、第１のアダプタ部３１と第２のアダプタ部３２とが互いに協同して穴３４を形成する。X線装置の二つの端部の断面サイズが、その中央部の断面サイズより大きいため、アダプタ部材３０を第１のアダプタ部３１と第２のアダプタ部３２からなる分割構造に構成することで、X線装置がスムーズにアダプタ部材３０の穴３４を通じて端部カバー２０の密閉室２３へ入るようにするとともに、X線装置のシールドカバー１の遮蔽効果を確保することができる。
【００２７】
具体的に、図１、図２、図６、および図７に示すように、第１のアダプタ部３１は、第１の取付板３１１と、第１の取付板３１１に位置している第１の接続突起３１２と含み、第１の取付板３１１には第１の取付板３１１を貫通する切り口が設けられており、第１の取付板３１１は、締切部材によって対応する端部カバー２０のエンドプレート２１に接続され、第１の接続突起３１２および上部カバー１１には対応する第１の貫通孔３１３および第２の貫通孔１２３が設けられている。第１の貫通孔３１３は線形孔であり、第１の貫通孔３１３および第２の貫通孔１２３の内部には接続部材３１４が貫通して設けられている。接続部材３１４は、第１のアダプタ部３１とフレーム本体１０とを移動可能に接続させ、すなわち、第１のアダプタ部３１の一端部が端部カバー２０に固定接続され、他端部がフレーム本体１０に移動可能に接続されるという使用ニーズを満たす締切ねじであってもよい。
【００２８】
図１、図２、図６〜図８に示すように、第２のアダプタ部３２は、第２の取付板３２１と、第２の取付板３２１に位置している第２の接続突起３２２とを含み、第２の取付板３２１は、締切部材によって対応する端部カバー２０の端板２１に接続され、第２の接続突起３２２および下部カバー１２には対応する第３の貫通孔３２３および第４の貫通孔１２４が設けられている。第３の貫通孔３２３は線形孔であり、第３の貫通孔３２３および第４の貫通孔１２４の内部には接続部材３２４が貫通して設けられている。接続部材３２４は、第２のアダプタ部３２とフレーム本体１０とを移動可能に接続させ、すなわち、第２のアダプタ部３２の一端部が端部カバー２０に固定接続され、他端部がフレーム本体１０に移動可能に接続されるという使用ニーズを満たす締切ねじであってもよい。また、第２のアダプタ３２の第２の取付板３２１は、第１のアダプタ３１の第１の取付板３１１と接合して、フレーム本体１０の収納室１３と端部カバー２０の密閉室２３とを連通するためのアダプタ部材３０の開口部３４を形成する。 
【００２９】
これにより、本発明の実施形態により提供するX線装置のシールドカバー１は、使用時に、X線装置をフレーム本体１０の収納室１３に内部に収納し、その両端面がアダプタ部材３０の開口を通して対応する端部カバー２０の密閉室２３まで伸びることができ、X線装置から放出される放射線は、上部カバー１１における放射線出口１５のみを通して放出されて被検物をスキャンし、残りの放射線はX線装置のシールドカバー１に遮蔽されることで、X線装置から発生する無用な放射線に対して効果的な防護を実現し、人体に対するダメージを避けることができる。
【００３０】
また、アダプタ部材３０とフレーム本体１０との相対位置を移動して、端部カバー２０とフレーム本体１０との相対位置を移動することで、端部カバー２０から端部開口１４までの距離を変えて、端部カバー２０の内端面とX線装置の端面とがちょうど当接されて、X線装置の位置を制限し、X線装置の水平方向における移動を制限して、被検物に対する検査ニーズを満たす。
【００３１】
X線装置の水平方向における移動をよりよく制限するために、図１及び図５に示すように、端部カバー２０に補助位置決め部材２５が設けられており、補助位置決め部材２５の一端部は、密閉室２３に伸びており、X線装置の端面に当接できる。一つの実施形態において，補助位置決め部材２５は、端部カバー２０のねじ連結されたレバー部材である。X線装置の端面が圧力には耐えられるが、張力に耐えられないため、このような遮蔽および調整形態はX線装置自体にダメージを与えない。
【００３２】
フレーム体１０は、上部カバー１１と下部カバー１２とが突き合わされた形態に限らず、一つの下部カバー１２と二つの上部カバー１１などの複数のカバーによって突き合わされた形態でもよいことが理解できる。X線装置を収容し、X線装置に対して効果的な遮蔽を実現でき、X線装置自体にダメージを与えなければよい。
【００３３】
下部カバー１２も、主遮蔽体１２１およびサブ遮蔽体１２２が結合された形態に限らず、スペースが十分大きい場合には、下部カバー１２を主遮蔽体１２１の形態のみに限定し、つまり、X線装置およびその高圧控制器などの部品を全て主遮蔽体１２１に入れて遮蔽することができ、サブ遮蔽体１２２をさらに設ける必要がない。
【００３４】
また、第１の貫通孔３１３が線形孔であることに限らない。一つの実施形態において、第２の貫通孔１２３を線形孔にするか、あるいは、第１の貫通孔３１３および第２の貫通孔１２３をいずれも線形孔にしてもよい。また、第３の貫通孔３２３が線形孔であることに限らない。一つの実施形態において、第４の貫通孔１２４を線形孔にするか、あるいは、第３の貫通孔３２３および第２の貫通孔１２４をいずれも線形孔にしてもよい。第１のアダプタ部３１とフレーム本体１０の上部カバー１１が移動可能に接続され、第２のアダプタ部３２とフレーム本体１０の下部カバー１２移動可能に接続されて、端部カバー２０がフレーム本体１０に対して相対移動し、端部カバー２０から端部開口１４までの距離を調整できるということを満たせばよい。
【００３５】
端部カバー２０から端部開口１４までの距離を調整できるように、アダプタ部材３０がフレーム本体１０に対して移動する必要があるので、アダプタ部材３０がフレーム本体１０に対して移動する際にX線装置の放射線が漏れることを避けるため、一つの選択可能な実施形態として、図１および図６に示すように、アダプタ部材３０において穴３４の周りに収納室１３の内部に伸びるクローズドリング３３が設けられ、クローズドリング３３の外壁面と収納室１３の内壁面は、常に、互いに重ねて隙間がある状態であり、クローズドリング３３の外壁面と収納室１３の内壁面との重ねた長さはクローズドリング３３の外壁面と収納室１３の内壁面との間の隙間の距離の１５乃至２０倍である。これにより、アダプタ部材３０がフレーム本体１０に対し容易に移動するとともに、アダプタ部材３０がフレーム本体１０に対して移動する際に放射線がフレーム本体１０とアダプタ部材３０との間の隙間から漏れることを避け、X線装置のシールドカバー１が放射線に対する遮蔽効果を確保し、又、アダプタ部材３０がフレーム本体１０に対して移動する際にクローズドリング３３が相応したガイド作用を発揮することができる。図６から図８に示すように、クローズドリング３３は分割構造であり、それぞれ、第１のアダプタ部３１および第２のアダプタ部３２に設けられており、第１のアダプタ部３１と第２のアダプタ部３２とが嵌合すると、クローズドリング３３を形成して、X線装置への装着が容易になる。一つの実施形態において、過量の調整によりクローズドリング３３が収納室１３から移出されることを避けるように、クローズドリング３３が収納室１３へ伸びた長さは線形孔の長さより大きい。
【００３６】
本発明の実施形態によるX線装置のシールドカバー１は、X線装置の放射線を遮蔽するために、そのフレーム本体１０、端部カバー２０およびアダプタ部材３０が放射線防護材で製造されてもよい。
【００３７】
一つの好ましい実施形態として、フレーム本体１０、端部カバー２０およびアダプタ部材３０は金属材料などで製造されてもよく、フレーム本体１０、端部カバー２０およびクローズドリング３３の壁面にいずれも例えば鉛板などの放射線遮蔽板を設けていることで、X線装置の放射線に対する防護のニーズを満たすとともに、X線装置のシールドカバー１の強度を確保し、コストを下げることができる。
【００３８】
一つの好ましい実施形態として、放射線遮蔽板がフレーム本体１０、端部カバー２０およびクローズドリング３３の内壁面に配置されるが、例えば鉛板などの放射線遮蔽板の強度は高くなく、表面が完全に平坦であることを確保できない。このため、隣り合う２つの放射線遮蔽板の端部同士を直接的に接合すると、完全に閉塞することができず、その間に隙間が生じる。図９および図１０に示すように、フレーム本体１０の下部カバー１２を例にすると、底板１２１aと側板１２１bの放射線遮蔽板４０が隣り合う２つの放射線遮蔽板４０に相当し、両者が接触して接続される 端部が両者の隣接端部であり、両者の隣接端部が直接的に接触している場合には、両者の間の隙間から放射線が直接的に漏れるため、隣接する２つの放射線遮蔽板４０の隣接端部が互いに圧接される形態を採用すると、X線装置から放出される放射線が漏れることを避けることができる。一つの実施形態において、隣接端部が互いに圧接される形態を採用するというのは、隣接端部における一方に段差面４１を設けており、隣接端部における他方が段差面４１と嵌合して、隣接端部同士が互いに圧接されることである。
【００３９】
隣り合う２つの放射線遮蔽板４０の隣接端部が互いに圧接される形態を採用することで、隣り合う２つの放射線遮蔽板４０の隣接端部の間に隙間が存在しても、放射線は当該隙間から直接に漏れることができず、X線装置のシールドカバー１の遮蔽効果をさらに高めることができる。本実施形態は、下部カバー１２の隣り合う２つの放射線遮蔽板４０のみを例として説明したが、下部カバー１２の隣り合う２つの放射線遮蔽板４０の隣接端部が互いに圧接されることに限らず、X線装置のシールドカバー１において放射線遮蔽板４０が設けられている位置、例えば、上部カバー１１、端部カバー２０およびクローズドリング３３などにおいても、放射線遮蔽のニーズによって、隣り合う２つの放射線遮蔽板４０の隣接端部がいずれも互いに圧接される形態を採用して、X線装置のシールドカバー１の遮蔽効果を高めることができる。
【００４０】
本発明の実施形態によるX線装置のシールドカバー１は、使用時に、X線装置を収納室１３の内部に収納し、フレーム本体１０の上部カバー１１、下部カバー１２と端部カバー２０との間はアダプタ部材３０によって接続し、アダプタ部材３０とフレーム本体１０との相対位置を移動させることで端部カバー２０から端部開口１４までの位置を変え、相対位置を調整した後、第１の貫通孔３１３および第２の貫通孔１２３の内部の接続部材３１４と第三貫通孔３２３および第四貫通孔１２４の内部の接続部材３２４とを締め、端部カバー２０からフレーム本体１０までの相対位置を締切固定して、端部カバー２０の内端面とX線装置の端面とがちょうど当接され、X線装置の位置を制限し、現場で位置決めピン３１５を打つことで、再度装着する際に位置決め精度を繰り返すことを確保する。また、端部カバー２０における補助位置決め部材２５を調整して、X線装置の端面に当接させることで、X線装置の水平方向における移動をさらに制限する。本発明の実施形態によるX線装置のシールドカバー１は、X線装置から生じる無用な放射線を効果的に遮蔽することができ、人体に対するダメージを避けるとともに、X線装置自体に対してダメージを与えず、幅広く使用される。
【００４１】
図１１に示すように、本発明の一つの実施形態によると、上記のいずれかの実施形態のX線装置のシールドカバー１と、X線装置と、U字型アーム２とを含み、X線装置が収納室１３の内部に設けられており、二つのU字型アーム２がフレーム本体１０の外部に対称に設けられており且つX線装置と接続されて、X線装置が収納室１３の内部でフローティング状態になるようにするセキュリティ検査装置を提供した。
【００４２】
具体的に、フレーム本体１０の外壁およびU字型アーム２には、接続穴が対応して設けられており、接続部件３がU字型アーム２およびフレーム本体１０における対応した接続穴を通してX線装置と接続されて、X線装置が収納室１３の内部でフローティング状態になるようにする。フローティング状態とは、好ましくは、X線装置の側壁面が収納室１３の壁面と接触しないという意味である。
【００４３】
一つの選択可能な実施形態において、図１１及び図１２のように、U字型アーム２のU字型の開口がフレーム本体１０に係合されており、フレーム本体１０におけるU字型アーム２に対応する位置には固定台座４が設けられており、U字型アーム２は固定台座４によってフレーム本体１０に接続されており、固定台座４は、フレーム本体１０に接続されたフレーム本体接続端４１０と、U字型アーム接続端４２０とを含み、U字型アーム接続端４２０は、U字型アーム２の下部形状とマッチするU字型溝４２１を備え、U字型アーム２の下部は、U字型溝４２１の内部に位置しており、締切部材によって固定接続され、U字型アーム２の下部と固定台座４との間には調整パッド４２２が設けられており、調整パッド４２２は、U字型溝４２１の内部に設けられるが好ましい。調整パッド４２２を増減することで、すなわち、調整パッド４２２の厚さを変えることで、加工中に生じた誤差を補償して、U字型アーム２が、縦方向の力のみを受け、水平方向の推力とねじり力に耐えられず、U字型アーム２の受力ユーズを満たすようにする。
【００４４】
本発明の実施形態によるセキュリティ検査装置は、X線装置から放出された放射線がフレーム本体１０における放射線出口１５のみから放出されて被検物をスキャンし、残りの放射線がX線装置のシールドカバー１に遮蔽されることで、X線装置により発生された無用な放射線を効果的に遮蔽して、人体に対するダメージを避けることができる。アダプタ部材３０とフレーム本体１０との相対位置を移動させることで、端部カバー２０から端部開口１４までの距離を変え、すなわち、端部カバー２０の内端面とX線装置の端面とがちょうど当接され、X線装置の水平位置を制限して、被検物に対する検査ニーズを満たす。さらに、X線装置は、収納室１３の内部においてフローティング状態であるため、X線装置自体にダメージを与えず、X線装置の受力ニーズを満たすことができる。
【００４５】
好ましい実施形態を挙げて本発明を説明したが、本発明の精神から逸脱しない場合、各種の改良が可能であり、同等物でその部材を切り替えることも可能である。特に、構造に矛盾がなければ、各実施形態の各技術的特徴を任意に組み合わせることができる。本発明は、本発明は、上記の特定の実施形態に限らず、特許請求の範囲に陥る全ての技術案を含む。
【符号の説明】
【００４６】
１-X線装置のシールドカバー；
１０-フレーム本体；１１-上部カバー；１２-下部カバー；１３-収納室；１４-端部開口；１５-放射線出口；１６-補強ビーム；
１２１-主遮蔽体；１２１a-底板；１２１b-側板；１２１c-上開口；１２１d-側開口；
１２２-補助遮蔽体；１２３-第２の貫通孔；１２４-第四貫通孔；
２０-端部カバー；２１-エンドプレート；２２-環状側板；２３-密閉室；２４-貫通孔；２５-補助位置決め部材；２６-補強リブ；
３０-アダプタ部材；３１-第１のアダプタ部；３２-第２のアダプタ部；３３-クローズドリング；３４-穴；
３１１-第１の取付板；３１２-第１の接続突起；３１３-第１の貫通孔；３１４-接続部材； ３１５-位置決めピン；
３２１-第２の取付板；３２２-第２の接続突起；３２３-第三貫通孔；３２４-接続部材；
４０-放射線遮蔽板；４１-段差面
２-U字型アーム；３-接続部件；４-固定台座；
４１０-フレーム本体接続端；４２０-U字型アーム接続端；４２１- U字型溝；４２２-調整パッド。
【図１】
2019078743.tif 000003
【図２】
2019078743.tif 000004
【図３】
2019078743.tif 000005
【図４】
2019078743.tif 000006
【図５】
2019078743.tif 000007
【図６】
2019078743.tif 000008
【図７】
2019078743.tif 000009
【図８】
2019078743.tif 000010
【図９】
2019078743.tif 000011
【図１０】
2019078743.tif 000012
【図１１】
2019078743.tif 000013
【図１２】
2019078743.tif 000014